(57)【特許請求の範囲】
【請求項１】
相対的に気筒の内周壁への燃料の付着が多くなる位置に設けられる第一の燃料噴射弁と、
相対的に気筒の内周壁への燃料の付着が少なくなる位置に設けられる第二の燃料噴射弁と、
エンジンの冷却水の温度を検出する冷却水温度検出手段と、
前記冷却水温度検出手段により検出された冷却水の温度に基づいて、前記第一の燃料噴射弁による燃料の噴射量と前記第二の燃料噴射弁による燃料の噴射量との比率を決定する噴射比率決定手段と、
を備え、
前記噴射比率決定手段は、前記冷却水の温度が相対的に低くなるにつれ、全ての燃料の噴射量に占める前記第二の燃料噴射弁による燃料の噴射量の比率を大きくする噴射量調整運転領域が設定され、前記噴射量調整運転領域は、前記エンジンの低回転高負荷域に設定され、
前記噴射量調整運転領域は、前記エンジンの負荷が相対的に高くなるにつれ、全ての燃料の噴射量に占める前記第二の燃料噴射弁による燃料の噴射量の比率が大きく設定される
エンジンの制御装置。
【請求項２】
相対的に気筒の内周壁への燃料の付着が多くなる位置に設けられる第一の燃料噴射弁と、
相対的に気筒の内周壁への燃料の付着が少なくなる位置に設けられる第二の燃料噴射弁と、
エンジンの冷却水の温度を検出する冷却水温度検出手段と、
前記冷却水温度検出手段により検出された冷却水の温度に基づいて、前記第一の燃料噴射弁による燃料の噴射量と前記第二の燃料噴射弁による燃料の噴射量との比率を決定する噴射比率決定手段と、
を備え、
前記噴射比率決定手段は、前記冷却水の温度が相対的に低くなるにつれ、全ての燃料の噴射量に占める前記第二の燃料噴射弁による燃料の噴射量の比率を大きくする噴射量調整運転領域が設定され、前記噴射量調整運転領域は、前記エンジンの低回転高負荷域で、前記冷却水の温度が相対的に低くなるにつれ、全ての燃料の噴射量に占める前記第二の燃料噴射弁による燃料の噴射量の比率を大きくする際の閾値となる負荷の値が、徐々に小さく設定される
エンジンの制御装置。
【請求項３】
前記第一の燃料噴射弁は、燃焼室内に直接燃料を噴射する筒内噴射弁であり、
前記第二の燃料噴射弁は、燃焼室へ通じる吸気通路内に燃料を噴射するポート噴射弁である、
請求項１又は２に記載のエンジンの制御装置。
【請求項４】
前記第一の燃料噴射弁は、燃焼室の内周壁又はシリンダヘッド側頂部の周縁部に設けられる側方筒内噴射弁であり、
前記第二の燃料噴射弁は、燃焼室のシリンダヘッド側頂部の中央部に設けられる直上筒内噴射弁である
請求項１又は２に記載のエンジンの制御装置。
【請求項５】
相対的に気筒の内周壁への燃料の付着が多くなる位置に設けられる第一の燃料噴射弁と、
相対的に気筒の内周壁への燃料の付着が少なくなる位置に設けられる第二の燃料噴射弁と、
エンジンの冷却水の温度を検出する冷却水温度検出手段と、
前記冷却水温度検出手段により検出された冷却水の温度に基づいて、前記第一の燃料噴射弁による燃料の噴射量と前記第二の燃料噴射弁による燃料の噴射量との比率を決定する噴射比率決定手段と、
を備え、
前記噴射比率決定手段は、前記冷却水の温度が相対的に低くなるにつれ、全ての燃料の噴射量に占める前記第二の燃料噴射弁による燃料の噴射量の比率を大きくする噴射量調整運転領域が設定され、
前記各燃料噴射弁による燃料の噴射時期を決定する噴射時期決定手段を備え、
前記噴射時期決定手段は、吸気行程噴射の際に、前記冷却水の温度が相対的に低くなるにつれ、前記第一の燃料噴射弁による燃料の噴射時期を進角する噴射時期調整運転領域が設定され、
前記噴射時期調整運転領域は、前記エンジンの低回転高負荷域に設定され、前記冷却水の温度が相対的に低くなるにつれ、前記第一の燃料噴射弁による燃料の噴射時期を進角する際の閾値となる負荷の値が、徐々に小さく設定される
エンジンの制御装置。
【請求項６】
相対的に気筒の内周壁への燃料の付着が多くなる位置に設けられる第一の燃料噴射弁と、
相対的に気筒の内周壁への燃料の付着が少なくなる位置に設けられる第二の燃料噴射弁と、
エンジンの冷却水の温度を検出する冷却水温度検出手段と、
前記冷却水温度検出手段により検出された冷却水の温度に基づいて、前記第一の燃料噴射弁による燃料の噴射量と前記第二の燃料噴射弁による燃料の噴射量との比率を決定する噴射比率決定手段と、
を備え、
前記噴射比率決定手段は、前記冷却水の温度が相対的に低くなるにつれ、全ての燃料の噴射量に占める前記第二の燃料噴射弁による燃料の噴射量の比率を大きくする噴射量調整運転領域が設定され、
前記各燃料噴射弁による燃料の噴射時期を決定する噴射時期決定手段を備え、
前記噴射時期決定手段は、圧縮行程噴射の際に、前記冷却水の温度が相対的に低くなるにつれ、前記第一の燃料噴射弁による燃料の噴射時期を遅角する噴射時期調整運転領域が設定され、
前記噴射時期調整運転領域は、前記エンジンの低回転高負荷域に設定され、前記冷却水の温度が相対的に低くなるにつれ、前記第一の燃料噴射弁による燃料の噴射時期を遅角する際の閾値となる負荷の値が、徐々に小さく設定される
エンジンの制御装置。
【発明の詳細な説明】
【技術分野】
【０００１】
この発明は、プレイグニッションの発生を抑制するエンジンの制御装置に関する。
【背景技術】
【０００２】
従来から、気筒内に直接燃料を噴射する筒内噴射弁と、吸気ポート内に燃料を噴射するポート噴射弁とを備えたエンジンが知られている。
【０００３】
この種のエンジンでは、ポート噴射弁のみによる燃料噴射、筒内噴射弁のみによる燃料噴射、あるいは、両方を用いた燃料噴射というように、運転状況に応じて、筒内噴射弁とポート噴射弁とを選択的に、又は、組み合わせて用いる制御装置及び制御方法を採用している。
【０００４】
ところで、特に、筒内噴射弁を備えたエンジンでは、点火プラグ等の点火装置による燃料への点火よりも早く、気筒内で燃料が自然発火してしまうプレイグニッションと呼ばれる現象が生じることがある。プレイグニッションが発生すると、燃焼室内に急激な圧力上昇が生じ、その衝撃波がピストンやシリンダ内壁に衝突する。この衝突により、シリンダ内の温度はさらに上昇し、エンジンは所定の性能を発揮できなくなる場合もある。
【０００５】
特に、近年の高圧縮比エンジンでは、従来よりも圧縮比が高く設定されるにつれて、また、過給器を搭載したエンジンでは過給圧が高く設定されるにつれて、低回転高負荷域で発生する低速プレイグニッションと呼ばれる現象が発生しやすくなり、その対策が課題となっている。
【０００６】
プレイグニッションの発生原因の一つは、燃焼室内に堆積したデポジットやシリンダの内周壁から飛散する潤滑油の液滴が、燃焼室内の温度上昇とともに発火し、それがエンドガスを自着火させる火種になっているといわれている。
【０００７】
プレイグニッションを防止する手法として、例えば、吸気温度を低下させる手法や、混合気中の酸素濃度を下げる手法が挙げられる。吸気温度を下げるためには、例えば、ウェイストゲートバルブ制御等により吸気の過給圧を低下させたり、可変バルブタイミング機構による吸気バルブの遅角制御により実圧縮比を下げる手法等がある。
【０００８】
また、特許文献１、２に記載の技術では、高回転高負荷域におけるプレイグニッション発生後の回避対策として、空燃比のリッチ化や吸気弁の閉弁時期の遅角、一部の燃料の噴射時期の遅角等を段階的に行っている。
【先行技術文献】
【特許文献】
【０００９】
【特許文献１】特開２０１１−２２６４７３号公報
【特許文献２】特開２０１１−２１４４４７号公報
【発明の概要】
【発明が解決しようとする課題】
【００１０】
上記の吸気温度を低下させる手法や、混合気中の酸素濃度を下げる手法によると、運転条件によっては顕著な出力低下を招く場合がある。
【００１１】
また、特許文献１、２に記載の技術では、高回転高負荷域においてプレイグニッションが発生した後の回避対策が示されている。しかし、これは、プレイグニッションの発生を、その発生前に抑制するための対策ではない。また、特に、低回転高負荷域における、いわゆる低速プレイグニッションの抑制対策については、何ら開示されていない。
【００１２】
そこで、この発明の課題は、顕著な出力低下を招くことなくプレイグニッションの発生をより効果的に抑制することである。
【課題を解決するための手段】
【００１３】
上記の課題を解決するために、この発明は、相対的に気筒の内周壁への燃料の付着が多くなる位置に設けられる第一の燃料噴射弁と、相対的に気筒の内周壁への燃料の付着が少なくなる位置に設けられる第二の燃料噴射弁と、エンジンの冷却水の温度を検出する冷却水温度検出手段と、前記冷却水温度検出手段により検出された冷却水の温度に基づいて、前記第一の燃料噴射弁による燃料の噴射量と前記第二の燃料噴射弁による燃料の噴射量との比率を決定する噴射比率決定手段と、を備え、前記噴射比率決定手段は、前記冷却水の温度が相対的に低くなるにつれ、全ての燃料の噴射量に占める前記第二の燃料噴射弁による燃料の噴射量の比率を大きくする噴射量調整運転領域が設定されているエンジンの制御装置を採用した。
【００１４】
ここで、前記噴射量調整運転領域は、前記エンジンの負荷が相対的に高くなるにつれ、全ての燃料の噴射量に占める前記第二の燃料噴射弁による燃料の噴射量の比率が大きく設定される構成を採用することができる。
【００１５】
前記噴射量調整運転領域は、前記エンジンの低回転高負荷域に設定される構成を採用することができる。
【００１６】
また、前記噴射量調整運転領域は、前記冷却水の温度が相対的に低くなるにつれ、全ての燃料の噴射量に占める前記第二の燃料噴射弁による燃料の噴射量の比率を大きくする際の閾値となる負荷の値が、徐々に小さく設定される構成を採用することができる。
【００１７】
また、前記第一の燃料噴射弁は、燃焼室内に直接燃料を噴射する筒内噴射弁であり、前記第二の燃料噴射弁は、燃焼室へ通じる吸気通路内に燃料を噴射するポート噴射弁である構成を採用することができる。
【００１８】
あるいは、前記第一の燃料噴射弁は、燃焼室の内周壁又はシリンダヘッド側頂部の周縁部に設けられる側方筒内噴射弁であり、前記第二の燃料噴射弁は、燃焼室のシリンダヘッド側頂部の中央部に設けられる直上筒内噴射弁である構成を採用することができる。
【００１９】
これらの各構成において、前記各燃料噴射弁による燃料の噴射時期を決定する噴射時期決定手段を備え、前記噴射時期決定手段は、吸気行程噴射の際に、前記冷却水の温度が相対的に低くなるにつれ、前記第一の燃料噴射弁による燃料の噴射時期を進角する噴射時期調整運転領域が設定されている構成を採用することができる。
【００２０】
このとき、前記噴射時期調整運転領域は、前記エンジンの低回転高負荷域に設定され、前記冷却水の温度が相対的に低くなるにつれ、前記第一の燃料噴射弁による燃料の噴射時期を進角する際の閾値となる負荷の値が、徐々に小さく設定される構成を採用することができる。
【００２１】
あるいは、これらの各構成において、前記各燃料噴射弁による燃料の噴射時期を決定する噴射時期決定手段を備え、前記噴射時期決定手段は、圧縮行程噴射の際に、前記冷却水の温度が相対的に低くなるにつれ、前記第一の燃料噴射弁による燃料の噴射時期を遅角する噴射時期調整運転領域が設定されている構成を採用することができる。
【００２２】
このとき、前記噴射時期調整運転領域は、前記エンジンの低回転高負荷域に設定され、前記冷却水の温度が相対的に低くなるにつれ、前記第一の燃料噴射弁による燃料の噴射時期を遅角する際の閾値となる負荷の値が、徐々に小さく設定される構成を採用することができる。
【発明の効果】
【００２３】
この発明は、相対的に気筒の内周壁への燃料の付着が多い第一の燃料噴射弁と、燃料の付着が少ない第二の燃料噴射弁とを備え、冷却水の温度が相対的に低くなるにつれ、全ての燃料の噴射量に占める第二の燃料噴射弁による燃料の噴射量の比率を大きくする噴射量調整運転領域を設定したので、顕著な出力低下を招くことなくプレイグニッションの発生をより効果的に抑制することができる。
【図面の簡単な説明】
【００２４】
【図１】この発明の一実施形態を示すエンジンの縦断面図である。
【図２】（ａ）〜（ｆ）は、この発明のエンジンの制御を示すグラフ図である。
【図３】（ａ）〜（ｆ）は、この発明のエンジンの制御を示すグラフ図である。
【図４】この発明の他の実施形態を示すエンジンの縦断面図である。
【発明を実施するための形態】
【００２５】
この発明の実施形態を、図面に基づいて説明する。図１は、この発明のエンジンの一つの気筒を示す縦断面図である。
【００２６】
この実施形態のエンジンは自動車用の４サイクルガソリンエンジンである。図１に示すように、エンジン１のシリンダ内にはピストン２が収容されている。シリンダの内周壁、及び、シリンダヘッド側頂部、ピストン２の上面等により燃焼室３が形成されている。
【００２７】
エンジン１は、ピストン２を収容した各シリンダの燃焼室３内に吸気を送り込む吸気通路４、燃焼室３から引き出された排気通路５等を備えている。また、シリンダヘッド側からシリンダの軸線に沿って下向きに、点火手段１５として点火プラグが備えられている。
【００２８】
これらの図面では、この発明に直接関係する部材、手段を中心に示し、他の部材等については図示省略している。また、図面では、一つのシリンダのみを示しているが、エンジン１は単気筒であってもよいし、複数のシリンダを備えた多気筒であってもよい。
【００２９】
吸気通路４の燃焼室３への開口部である吸気弁孔８は、吸気バルブ６によって開閉される。また、排気通路５の燃焼室３への開口部である排気弁孔９は、排気バルブ７によって開閉される。これらの吸気バルブ６及び排気バルブ７は、シリンダヘッド側に設けたカムシャフトにバルブリフタを介して接続されているので、カムシャフトの回転によって、所定のタイミングで吸気弁孔８、排気弁孔９を開閉する。
【００３０】
吸気バルブ６や排気バルブ７の数は、エンジン１の用途や仕様に応じて適宜決定され、一つの気筒に吸気バルブ６と排気バルブ７を２つずつ備えられる構成や、あるいは、一つずつ備える構成等、種々の構成としてよい。
【００３１】
これらの吸気バルブ６や排気バルブ７、点火手段１５、その他エンジンの動作に必要な機器は、それぞれケーブルを通じて、電子制御ユニット（Ｅｌｅｃｔｒｏｎｉｃ  Ｃｏｎｔｒｏｌ  Ｕｎｉｔ）２０に備えられた制御手段によって制御される。
【００３２】
エンジン１内は、複数の燃料噴射装置が備えられている。燃料噴射装置は、相対的に気筒の内周壁への燃料の付着が多くなる位置に設けられる第一の燃料噴射弁Ａと、相対的に気筒の内周壁への燃料の付着が少なくなる位置に設けられる第二の燃料噴射弁Ｂとからなる。
【００３３】
図１の実施形態では、第一の燃料噴射弁Ａは、燃焼室３内に直接燃料を噴射する筒内噴射弁１１であり、第二の燃料噴射弁Ｂは、燃焼室３へ通じる吸気通路４内に燃料を噴射するポート噴射弁１２である。
【００３４】
第一の燃料噴射弁Ａと第二の燃料噴射弁Ｂへの燃料の送り込みは、燃料タンクに設けられたポンプを用いて行われ、筒内噴射弁１１とされる第一の燃料噴射弁Ａへは、より燃料噴射圧が高い高圧ポンプが用いられている。各燃料噴射弁からの燃料の噴射は、それぞれが備える電磁弁が開閉することにより、燃料の噴射、噴射の停止が切り替えられ、噴射量の増減、噴射時期の調整が行われる。
【００３５】
また、エンジン１を冷却する冷却水経路には、その冷却水の温度を検出する冷却水温度検出手段２５が設けられている。冷却水温度検出手段２５は、ラジエターや冷却水配管の一部に設けられる。冷却水温度検出手段２５によって検出された水温の情報は、電子制御ユニット２０が取得することができる。
【００３６】
また、電子制御ユニット２０は、図１に示すように、第一の燃料噴射弁Ａと第二の燃料噴射弁Ｂとの燃料の噴射比率を決定する噴射比率決定手段２１、第一の燃料噴射弁Ａと第二の燃料噴射弁Ｂのそれぞれの燃料の噴射時期を決定する噴射時期決定手段２２、一つの気筒に対する１サイクル当たりの燃料の総噴射量を決定する総噴射量決定手段２３、エンジン１やそのエンジン１を搭載した車両の運転状況を判断する運転状況判別手段２４等を備える。
【００３７】
運転状況判別手段２４は、エンジン１の冷却水の温度の情報や、エンジン１の回転数、エンジン１の負荷の情報等を取得し、その情報をエンジン１の制御に活用している。運転状況判別手段２４は、クランク角センサ等からの情報に基づいて、エンジン１の回転数の情報を取得する。また、アクセルペダルに連動するスロットルバルブの開度や、燃料噴射量、エンジンの回転数、車速等の情報に基づいて、エンジン１への負荷の情報を取得する。
【００３８】
噴射比率決定手段２１は、冷却水温度検出手段２５により検出された冷却水の温度に基づいて、第一の燃料噴射弁Ａによる燃料の噴射量と、第二の燃料噴射弁Ｂによる燃料の噴射量との比率を決定する。
【００３９】
また、噴射比率決定手段２１による制御には、冷却水の温度が相対的に低くなるにつれ、全ての燃料の噴射量に占める第二の燃料噴射弁Ｂによる燃料の噴射量の比率を大きくする噴射量調整運転領域Ｒが設定されている。この実施形態では、噴射量調整運転領域Ｒは、低速プレイグニッション防止の観点からエンジンの低回転高負荷域（以下、「低速高負荷域」と記載）に設定されているが、その領域をどこに設定するかは、エンジン１の用途や仕様に応じて適宜決定される。
【００４０】
噴射時期決定手段２２は、運転状況判別手段２４によって得られた運転状況に基づいて、全ての燃料噴射弁、すなわち、第一の燃料噴射弁Ａと第二の燃料噴射弁Ｂのそれぞれによる燃料の噴射時期を決定する。
【００４１】
総噴射量決定手段２３は、運転状況判別手段２４によって得られた運転状況に基づいて、全ての燃料噴射弁、すなわち、第一の燃料噴射弁Ａと第二の燃料噴射弁Ｂとによって、一つの気筒に対して１サイクル当たりに必要となる燃料の総噴射量を決定する。
【００４２】
燃料噴射に関する通常の制御は、電子制御ユニット２０が備える制御手段によって、運転状況に応じて行われる。また、エンジン１にプレイグニッションが生じる可能性がある運転状況の場合には、噴射比率決定手段２１や噴射時期決定手段２２等による燃料噴射量の比率や噴射時期を調整する制御が行われる。
【００４３】
以下、その制御について、図２及び図３に基づいて説明する。
【００４４】
図２に示す制御は、冷却水の温度が相対的に低くなるにつれ、第一の燃料噴射弁Ａと第二の燃料噴射弁Ｂの両方による燃料の総噴射量に占める第二の燃料噴射弁Ｂ（ポート噴射弁１２）による燃料の噴射量の比率を大きくする噴射量調整運転領域Ｒが設定されている。ここでは、噴射量調整運転領域Ｒは、エンジン１に低速プレイグニッションが生じる可能性がある低速高負荷域に設定されている。具体的には予め決められた所定の低速領域において、エンジン１の負荷がグラフ中のａの値を超えた場合に相当する。
【００４５】
第二の燃料噴射弁Ｂは、第一の燃料噴射弁Ａよりも相対的に気筒の内周壁への燃料の付着が少なくなる位置に設けられるので、特に、プレイグニッションが生じる可能性がある運転状況では、第二の燃料噴射弁Ｂによる燃料噴射の比率を増やして、気筒の内周壁への燃料の付着を低減する。これにより、プレイグニッションの発生を回避する。
【００４６】
このとき、冷却水の水温が低いほどプレイグニッションの発生の危惧が高まるので、噴射量調整運転領域Ｒでは、冷却水の温度が相対的に低くなるにつれて、段階的に第二の燃料噴射弁Ｂによる燃料噴射の比率を増やしていく。ここでは、第二の燃料噴射弁Ｂはポート噴射弁１２であるので、冷却水の温度が相対的に低くなるにつれて、ポート噴射比率が上昇するように設定される。
【００４７】
図２（ａ）の制御の例では、エンジン１の負荷がグラフ中のａの値を超えた場合であっても、水温が９０℃以上であれば、通常の運転状況における噴射比率ｐを維持し、９０℃を下回って８０℃以上の水温であれば、第二の燃料噴射弁Ｂによる燃料噴射の比率を高めた噴射比率ｑに移行する。また、８０℃を下回って７０℃以上の水温であれば、第二の燃料噴射弁Ｂによる燃料噴射の比率をさらに高めた噴射比率ｒに移行し、７０℃を下回って６０℃以上の水温であれば、第二の燃料噴射弁Ｂによる燃料噴射の比率が最も高い噴射比率ｓに移行する。なお、水温が６０℃を下回った場合には、直前の噴射比率ｓを維持する設定してもよいし、別途のさらに高い噴射比率を設定してもよい（以下の各例で同じ）。
【００４８】
図２（ｂ）の制御の例では、エンジン１の負荷の値に関わらず、水温が９０℃以上であれば、通常の運転状況における噴射比率ｐを維持し、９０℃を下回った水温であれば、その温度に応じて、第二の燃料噴射弁Ｂによる燃料噴射の比率を高めた噴射比率ｓに移行する。その移行の時期は、９０℃を下回って８０℃以上の水温であれば、エンジン１の負荷が比較的高いｃの値の位置に設定され、８０℃を下回って７０℃以上の水温であれば、エンジン１の負荷がｃの値よりもやや低いｂの値に設定され、７０℃を下回った水温であれば、エンジン１の負荷が最も低いａの値に設定される。すなわち、水温が低いほど、第二の燃料噴射弁Ｂによる燃料噴射の比率を上げる際の閾値となる負荷の値が、徐々に小さく設定される。
【００４９】
このため、負荷がａ以下であれば、噴射比率は水温に関わらず初期値の噴射比率ｐに、負荷がａを超えてｂ以下であれば、噴射比率は水温７０℃を下回った場合のみ、より高い比率ｓに上げられる。負荷がｂを超えてｃ以下であれば、噴射比率は水温８０℃を下回った場合のみより高い噴射比率ｓに設定され、負荷がｃを超えた場合は、噴射比率は水温９０℃を下回った場合のみより高い噴射比率ｓに設定される。
【００５０】
また、図２（ｃ）の制御の例では、エンジン１の負荷の値に関わらず、水温が９０℃以上であれば、通常の運転状況における噴射比率ｐを維持し、９０℃を下回った水温であれば、その温度に応じて、第二の燃料噴射弁Ｂによる燃料噴射の比率を高めた燃料噴射比率ｑ、ｒ、ｓに移行する。その移行の時期は、９０℃を下回って８０℃以上の水温であれば、エンジン１の負荷が比較的高いｃの値の位置に設定され、８０℃を下回って７０℃以上の水温であれば、エンジン１の負荷がｃの値よりもやや低いｂの値に設定され、７０℃を下回った水温であれば、エンジン１の負荷が最も低いａの値に設定される。すなわち、水温が低いほど、第二の燃料噴射弁Ｂによる燃料噴射の比率を上げる際の負荷の値が小さく設定される。また、設定される噴射比率は、９０℃を下回って８０℃以上の水温であれば、初期値の噴射比率ｐよりもやや高い噴射比率ｑに設定され、８０℃を下回って７０℃以上の水温であれば、さらに高い噴射比率ｒに設定され、７０℃を下回った水温であれば、最も高い噴射比率ｓに設定される。
【００５１】
このため、負荷がａ以下であれば、噴射比率は水温に関わらず初期値の噴射比率ｐに、負荷がａを超えてｂ以下であれば、噴射比率は水温７０℃を下回った場合のみ、より高い比率ｓに上げられる。負荷がｂを超えてｃ以下であれば、噴射比率は、水温７０℃を下回っていれば噴射比率sに、水温８０℃を下回って７０℃以上の場合には噴射比率ｒに設定される。負荷がｃを超えた場合は、噴射比率は、水温７０℃を下回っていれば噴射比率sに、水温８０℃を下回って７０℃以上の場合には噴射比率ｒに、水温９０℃を下回って８０℃以上の場合には噴射比率ｑに設定される。
【００５２】
図２（ｄ）の制御の例では、エンジン１の負荷がグラフ中のａの値を超えた場合であっても、水温が９０℃以上であれば、通常の運転状況における初期値の噴射比率ｐを維持し、９０℃を下回った水温であれば、その温度及び負荷の値に応じて、第二の燃料噴射弁Ｂによる燃料噴射の比率を高めた噴射比率に移行する。その噴射比率は、負荷が高いほど徐々に高められ、９０℃を下回って８０℃以上の水温であれば、負荷の上限値では初期値の噴射比率ｐよりもやや高い噴射比率ｑを上限に設定される。また、８０℃を下回って７０℃以上の水温であれば、さらに高い噴射比率ｒが上限に設定され、７０℃を下回った水温であれば、最も高い噴射比率ｓが上限に設定される。噴射量調整運転領域Ｒにおける噴射比率と負荷との関係は、グラフのように負荷を横軸、噴射比率を縦軸とした場合に、一次関数からなる直線としてもよいが、これを二次関数等の曲線としてもよい（図２（ｄ）〜（ｆ）の各例で同じ）。
【００５３】
図２（ｅ）の制御の例では、エンジン１の負荷の値に関わらず、水温が９０℃以上であれば、通常の運転状況における初期値の噴射比率ｐを維持し、９０℃を下回った水温であれば、その温度に応じて、第二の燃料噴射弁Ｂによる燃料噴射の比率を高めた噴射比率に移行する。その移行の時期は、９０℃を下回って８０℃以上の水温であれば、エンジン１の負荷が比較的高いｃの値の位置に設定され、８０℃を下回って７０℃以上の水温であれば、エンジン１の負荷がｃの値よりもやや低いｂの値に設定され、７０℃を下回った水温であれば、エンジン１の負荷が最も低いａの値に設定される。すなわち、水温が低いほど、第二の燃料噴射弁Ｂによる燃料噴射の比率を上げる際の閾値となる負荷の値が、徐々に小さく設定される。また、この例では、負荷の上限値での噴射比率は、水温に関わらず比率ｓに設定される。
【００５４】
このため、負荷がａ以下であれば、噴射比率は水温に関わらず初期値の噴射比率ｐに、負荷がａを超えてｂ以下であれば、噴射比率は水温７０℃を下回った場合のみ、より高い噴射比率に上げられる。負荷がｂを超えてｃ以下であれば、噴射比率は水温８０℃を下回った場合のみより高い噴射比率に設定され、負荷がｃを超えた場合は、噴射比率は水温９０℃を下回った場合のみより高い噴射比率に設定される。
【００５５】
図２（ｆ）の制御の例では、エンジン１の負荷の値に関わらず、水温が９０℃以上であれば、通常の運転状況における初期値の噴射比率ｐを維持し、９０℃を下回った水温であれば、その温度に応じて、第二の燃料噴射弁Ｂによる燃料噴射の比率を高めた噴射比率に移行する。その移行の時期は、９０℃を下回って８０℃以上の水温であれば、エンジン１の負荷が比較的高いｃの値の位置に設定され、８０℃を下回って７０℃以上の水温であれば、エンジン１の負荷がｃの値よりもやや低いｂの値に設定され、７０℃を下回った水温であれば、エンジン１の負荷が最も低いａの値に設定される。すなわち、水温が低いほど、第二の燃料噴射弁Ｂによる燃料噴射の比率を上げる際の閾値となる負荷の値が、徐々に小さく設定される。
【００５６】
また、その噴射比率は、負荷が高いほど徐々に高められ、９０℃を下回って８０℃以上の水温であれば、負荷の上限値では初期値の噴射比率ｐよりもやや高い噴射比率ｑを上限に設定される。また、８０℃を下回って７０℃以上の水温であれば、さらに高い噴射比率ｒが上限に設定され、７０℃を下回った水温であれば、最も高い噴射比率ｓが上限に設定される。
【００５７】
なお、上記の実施形態では、燃焼の噴射装置として、シリンダ１の燃焼室３内に直接燃料を噴射するように、燃焼室３の内周壁又はシリンダヘッド側頂部の周縁部に設けられる筒内噴射弁（側方筒内噴射弁）１１を第一の燃料噴射弁Ａとし、吸気通路４内に燃料を噴射するポート噴射弁１２を第二の燃料噴射弁Ｂとしたが、これを、例えば、図４に示すように、側方筒内噴射弁１１を第一の燃料噴射弁Ａとし、燃焼室３のシリンダヘッド側頂部の中央部に下向き、すなわち、ピストンヘッド側へ向けて配置される直上筒内噴射弁１３を第二の燃料噴射弁Ｂとしてもよい。なお、図４では、点火手段１５の図示を省略している。
【００５８】
すなわち、この図４では、第一の燃料噴射弁Ａは、燃焼室３の内周壁又はシリンダヘッド側頂部の周縁部に設けられる側方筒内噴射弁１１であり、第二の燃料噴射弁Ｂは、燃焼室３のシリンダヘッド側頂部の中央部に設けられる直上筒内噴射弁１３である。
【００５９】
このように、第二の燃料噴射弁Ｂは直上筒状噴射弁１３であるので、図２の制御では、冷却水の温度が相対的に低くなるにつれて、全体の燃料噴射量に占める直上筒状噴射弁１３による燃料噴射の比率、すなわち、中央噴射比率が上昇するように設定される。前述の図２の各例における燃料噴射の制御については、ポート噴射弁１２を直上筒状噴射弁１３に置き換え、グラフの縦軸に示すポート噴射比率を中央噴射比率に置き換えることで、繰り返しの説明を省略する。
【００６０】
噴射量調整運転領域Ｒでは、冷却水の温度が、予め設定された１０℃毎の領域を基準として、その領域が相対的に低くなるにつれて、段階的に第二の燃料噴射弁Ｂによる燃料噴射の比率を増やしていくようにしたが、この温度の領域は、１０℃毎の設定に限定されず、例えば、５℃毎、あるいは、４℃毎の設定とするなど自由な幅に設定できる。また、この領域を設定せず、冷却水の温度に応じて無段階で噴射比率を増減するようにしてもよい。
【００６１】
つぎに、図３に示す制御は、上記図２の制御に加えて行う第二の燃料噴射弁Ｂ（ポート噴射弁１２又は直上筒状噴射弁１３）による燃料噴射時期の制御である。
【００６２】
図３に示す制御では、噴射時期決定手段２２は、ピストン２の一サイクル中における吸気行程において燃料噴射を行う際に、すなわち、吸気行程噴射の際に、冷却水の温度が相対的に低くなるにつれ、第一の燃料噴射弁Ａによる燃料の噴射時期を進角する噴射時期調整運転領域Ｔが設定されている。吸気行程では、燃料噴射時期を早めるほど、気筒の内周壁の多くがピストン２で隠れた状態になるので、このように、噴射時期の進角により内周壁への燃料の付着を抑制し、プレイグニッションを回避できる。図３（ａ）〜（ｃ）にその制御を示す。
【００６３】
また、噴射時期決定手段２２は、ピストンの一サイクル中における圧縮行程において燃料噴射を行う際に、すなわち、圧縮行程噴射の際に、冷却水の温度が相対的に低くなるにつれ、第一の燃料噴射弁Ａによる燃料の噴射時期を遅角する噴射時期調整運転領域Ｔが設定されている。圧縮行程では、燃料噴射時期を遅らせるほど、気筒の内周壁の多くがピストン２で隠れた状態になるので、このように、噴射時期の遅角により内周壁への燃料の付着を抑制し、プレイグニッションを回避できる。図３（ｄ）〜（ｆ）にその制御を示す。
【００６４】
図３（ａ）の制御の例では、吸気行程噴射において、エンジン１の負荷がグラフ中のａの値を超えた場合であっても、水温が９０℃以上であれば、通常の運転状況における初期値の噴射時期ｔを維持し、９０℃を下回った水温であれば、その温度及び負荷の値に応じて、第一の燃料噴射弁Ａによる燃料の噴射時期を進角させた状態に移行する。その噴射時期は、負荷が高くなるほど徐々に進角され、９０℃を下回って８０℃以上の水温であれば、負荷の上限値では初期値の噴射時期ｔよりもやや進角した噴射時期ｕを上限に設定される。また、８０℃を下回って７０℃以上の水温であれば、さらに進角した噴射時期ｖが上限に設定され、７０℃を下回った水温であれば、最も進角した噴射時期ｗが上限に設定される。噴射時期調整運転領域Ｔにおける噴射時期と負荷との関係は、グラフのように負荷を横軸、噴射時期（進角側が上）を縦軸とした場合に、一次関数からなる直線としてもよいが、これを二次関数等の曲線としてもよい（図３（ｂ）〜（ｆ）の各例で同じ）。
【００６５】
図３（ｂ）の制御の例では、吸気行程噴射において、エンジン１の負荷の値に関わらず、水温が９０℃以上であれば、通常の運転状況における初期値の噴射時期ｔを維持し、９０℃を下回った水温であれば、その温度に応じて、第一の燃料噴射弁Ａによる燃料の噴射時期を進角させた状態に移行する。その移行の時期は、９０℃を下回って８０℃以上の水温であれば、エンジン１の負荷が比較的高いｃの値の位置に設定され、８０℃を下回って７０℃以上の水温であれば、エンジン１の負荷がｃの値よりもやや低いｂの値に設定され、７０℃を下回った水温であれば、エンジン１の負荷が最も低いａの値に設定される。すなわち、水温が低いほど、第一の燃料噴射弁Ａによる燃料の噴射時期を進角させる際の負荷の下限値が小さく設定される。また、この例では、負荷の上限値での噴射時期は、水温に関わらず噴射時期ｗに設定される。
【００６６】
図３（ｃ）の制御の例では、吸気行程噴射において、エンジン１の負荷の値に関わらず、水温が９０℃以上であれば、通常の運転状況における初期値の噴射時期ｔを維持し、９０℃を下回った水温であれば、その温度に応じて、第一の燃料噴射弁Ａによる燃料の噴射時期を進角させた状態に移行する。その移行の時期は、９０℃を下回って８０℃以上の水温であれば、エンジン１の負荷が比較的高いｃの値の位置に設定され、８０℃を下回って７０℃以上の水温であれば、エンジン１の負荷がｃの値よりもやや低いｂの値に設定され、７０℃を下回った水温であれば、エンジン１の負荷が最も低いａの値に設定される。
【００６７】
また、その噴射時期は、負荷が高いほど徐々にその進角度合いが高められ、９０℃を下回って８０℃以上の水温であれば、負荷の上限値では初期値の噴射時期ｔよりもやや早い噴射時期ｕを上限に設定される。また、８０℃を下回って７０℃以上の水温であれば、さらに早い噴射時期ｖが上限に設定され、７０℃を下回った水温であれば、最も早い噴射時期ｗが上限に設定される。
【００６８】
つぎに、図３（ｄ）の制御の例では、圧縮行程噴射において、エンジン１の負荷がグラフ中のａの値を超えた場合であっても、水温が９０℃以上であれば、通常の運転状況における初期値の噴射時期ｔ’を維持し、９０℃を下回った水温であれば、その負荷の値に応じて、第一の燃料噴射弁Ａによる燃料の噴射時期を遅角させた状態に移行する。その噴射時期は、負荷が高くなるほど徐々に遅角され、９０℃を下回って８０℃以上の水温であれば、負荷の上限値では初期値の噴射時期ｔ’よりもやや遅角した噴射時期ｕ’を上限に設定される。また、８０℃を下回って７０℃以上の水温であれば、さらに遅角した噴射時期ｖ’が上限に設定され、７０℃を下回った水温であれば、最も遅角した噴射時期ｗ’が上限に設定される。
【００６９】
図３（ｅ）の制御の例では、圧縮行程噴射において、エンジン１の負荷の値に関わらず、水温が９０℃以上であれば、通常の運転状況における初期値の噴射時期ｔ’を維持し、９０℃を下回った水温であれば、その温度に応じて、第一の燃料噴射弁Ａによる燃料の噴射時期を遅角させた状態に移行する。その移行の時期は、９０℃を下回って８０℃以上の水温であれば、エンジン１の負荷が比較的高いｃの値の位置に設定され、８０℃を下回って７０℃以上の水温であれば、エンジン１の負荷がｃの値よりもやや低いｂの値に設定され、７０℃を下回った水温であれば、エンジン１の負荷が最も低いａの値に設定される。すなわち、水温が低いほど、第一の燃料噴射弁Ａによる燃料の噴射時期を遅角させる際の閾値となる負荷の値が、徐々に小さく設定される。また、この例では、負荷の上限値での噴射時期は、水温に関わらず噴射時期ｗ’に設定される。
【００７０】
図３（ｆ）の制御の例では、圧縮行程噴射において、エンジン１の負荷の値に関わらず、水温が９０℃以上であれば、通常の運転状況における初期値の噴射時期ｔ’を維持し、９０℃を下回った水温であれば、その温度に応じて、第一の燃料噴射弁Ａによる燃料の噴射時期を遅角させた状態に移行する。その移行の時期は、９０℃を下回って８０℃以上の水温であれば、エンジン１の負荷が比較的高いｃの値の位置に設定され、８０℃を下回って７０℃以上の水温であれば、エンジン１の負荷がｃの値よりもやや低いｂの値に設定され、７０℃を下回った水温であれば、エンジン１の負荷が最も低いａの値に設定される。
【００７１】
また、その噴射時期は、負荷が高いほど徐々に遅角度合いが高められ、９０℃を下回って８０℃以上の水温であれば、負荷の上限値では初期値の噴射時期ｔ’よりもやや遅い噴射時期ｕ’を上限に設定される。また、８０℃を下回って７０℃以上の水温であれば、さらに遅い噴射時期ｖ’が上限に設定され、７０℃を下回った水温であれば、最も遅い噴射時期ｗ’が上限に設定される。
【００７２】
噴射時期調整運転領域Ｔでは、冷却水の温度が、予め設定された１０℃毎の領域を基準とし、その領域が相対的に低くなるにつれて、段階的に第一の燃料噴射弁Ａによる燃料噴射の時期を遅角又は進角させるようにしたが、この温度の領域は、１０℃毎の設定に限定されず、例えば、５℃毎、あるいは、４℃毎の設定とするなど自由な幅に設定できる。また、この領域を設けずに、冷却水の温度に応じて無段階で噴射時期を遅角又は進角するようにしてもよい。
【００７３】
これらの実施形態では、自動車用の４サイクルガソリンエンジンを例に、この発明の構成を説明したが、プレイグニッションを生じさせる可能性のある他の形式のエンジンにおいても、この発明を適用できる。
【符号の説明】
【００７４】
１  シリンダ
２  ピストン
３  燃焼室
４  吸気通路
５  排気通路
６  吸気バルブ
７  排気バルブ
８  吸気弁孔
９  排気弁孔
１０  過給機
１１  筒内噴射弁（側方筒内噴射弁）
１２  ポート噴射弁
１３  筒内噴射弁（直上筒内噴射弁）
１５  点火手段
２０  電子制御ユニット（Ｅｌｅｃｔｒｏｎｉｃ  Ｃｏｎｔｒｏｌ  Ｕｎｉｔ）
２１  噴射比率決定手段
２２  噴射時期決定手段
２３  総噴射量決定手段
２４  運転状況判別手段
２５  冷却水温度検出手段
Ａ  第一の燃料噴射弁
Ｂ  第二の燃料噴射弁
【図１】
0006554863.tif 000002
【図２】
0006554863.tif 000003
【図３】
0006554863.tif 000004
【図４】
0006554863.tif 000005